(57)【要約】【課題】  本発明は、光源から遠方に配置される指標部に対しても、少ない光源で充分な輝度を得ることができる計器照明装置を提供することを目的とする。【解決手段】  計器本体３の駆動軸２に装着される指針４と、指標部５を有する表示パネル６と、指標部５を照明する光源７ｂと、光源７ｂからの光を表示パネル６に照射する反射面部９と、光源７ｂからの光を反射面部９方向へと導く反射壁部１０と、を備えた計器照明装置において、反射壁部１０は、光源７ｂと接近した第１の指標部領域Ｎに存在する指標部５を主体に照明する円錐状の第１の反射壁部１０ａと、第１の指標部領域Ｎより遠方の第２の指標部領域Ｆに存在する指標部５を主体に照明する彎曲面あるいは平面状の傾斜面からなる第２の反射壁部１０ｂとで構成してなるため、表示パネル６上の指標部５の照明輝度をほぼ均一的に透過照明することができる。【選択図】  図２
2010256258.tif 000002
【特許請求の範囲】
【請求項１】
硬質材料からなる回路基板と、この回路基板に配置され駆動軸が前方に延びる計器本体と、前記駆動軸の先端側に装着される指針と、この指針と前記回路基板との間に配置され少なくとも前記指針に対応する指標部を有する表示パネルと、前記回路基板の前方側に配置され少なくとも前記指標部を照明する光源と、前記表示パネルと前記回路基板との間に配置される計器ハウジングと、この計器ハウジングに設けられ前記光源からの光を前記表示パネルに照射する反射面部と、前記光源と対向して配置され前記光源からの光を前記反射面部方向へと反射導光するための前記計器ハウジングに設けられた反射壁部と、を備えた計器照明装置において、前記反射壁部は、前記光源と接近した第１の指標部領域に存在する前記指標部を主体に照明する円錐状の第１の反射壁部と、前記第１の反射壁部と連続して設けられ、前記第１の指標部領域より遠方の第２の指標部領域に存在する前記指標部を主体に照明する彎曲面あるいは平面状の傾斜面からなる第２の反射壁部とで構成されたことを特徴とする計器照明装置。
【請求項２】
前記駆動軸を中心として取り巻くように配置された警報表示部を前記表示パネルに設け、前記反射壁部は、前記警報表示部の領域よりも外側に位置するように設けてなることを特徴とする請求項１に記載の計器照明装置。
【請求項３】
前記表示パネルには、前記指針の回転中心を基点として円弧状に配列された前記指標部が設けられ、前記反射面部は、前記駆動本体の前記指針の回転中心を基点とし、前記第１の指標部領域に設けられた前記指標部を透過照明するための第１の円弧状反射面部と、この第１の円弧状反射壁部と連続して設けられ、前記光源の位置を基点とし、前記第２の指標部領域に設けられた前記指標部を透過照明するための第２の円弧状反射面部とで構成してなることを特徴とする請求項１または請求項２に記載の計器照明装置。
【発明の詳細な説明】
【技術分野】
【０００１】
本発明は、透光性を有する指示計器の表示パネルの背面より光源からの照明光を照射して指標部などを透過照明表示する計器照明装置に関するものである。
【背景技術】
【０００２】
この種の計器照明装置として、回路基板に駆動軸を突設した計器本体を装着し、駆動軸の先端に指針を装着し、この指針の背後に、指針の回動軌道に沿って目盛や文字等の透光性の指標部が配された表示パネルを配置し、この表示パネルの背後に配置した光源により、表示パネルの指標部や指針を照明するものが知られている。このような計器照明装置として、特許文献１や特許文献２などにおいては、導光体などを用いることなく、光源からの照射光線を計器ケースの一部を構成する反射壁を介して反射面に照射し、その計器ケースの一部を構成する反射面によって反射された光を表示パネルに設けた指標部を照らし出すようにしている。
【０００３】
このため、計器ケースに反射壁や反射面を設けることによって個別の導光体などの部品を追加することなく比較的簡単な構成手段によって計器の照明装置を構成することができるというメリットがあり、コストの低減を図る上で有益である。
【先行技術文献】
【特許文献】
【０００４】
【特許文献１】特開２００１−１７４２９３号公報
【特許文献２】特開２００６−１１３００４号公報
【発明の概要】
【発明が解決しようとする課題】
【０００５】
しかしながら、前述した特許文献１や特許文献２などにあっては、導光体などを用いることなく構成できるためコストメリットはあるものの、光源からの照射光線を計器ケースの一部を構成する反射壁や反射面を介して表示パネルに設けた指標部を照らし出すようにしているため、光源からの光が表示パネルの指標部を透過照明するに際し、光源からの光を逆形の略円錐形状からなる反射壁を介して反射導光し、次いで反射壁を介して反射された光をその反射壁から近い領域にある反射面を介して透過照明される指標部箇所は明るく照らし出されるものの、反射壁から離れた箇所に配置された反射面を介して透過照明される指標部箇所では充分な輝度を得ることができないことがある。このため、照明するエリアが広い場合にあっては、光源の数を増やす必要があり、指針の中心を基点としてその周りに多くの光源を設置して所定の照明輝度を得るようにしている。
【０００６】
本発明は前述した問題点に着目し、光源から遠方に配置される指標部に対しても、少ない光源で充分な輝度を得ることができる計器照明装置を提供することを目的とする。
【課題を解決するための手段】
【０００７】
本発明は、前記目的を達成するため、硬質材料からなる回路基板と、この回路基板に配置され駆動軸が前方に延びる計器本体と、前記駆動軸の先端側に装着される指針と、この指針と前記回路基板との間に配置され少なくとも前記指針に対応する指標部を有する表示パネルと、前記回路基板の前方側に配置され少なくとも前記指標部を照明する光源と、前記表示パネルと前記回路基板との間に配置される計器ハウジングと、この計器ハウジングに設けられ前記光源からの光を前記表示パネルに照射する反射面部と、前記光源と対向して配置され前記光源からの光を前記反射面部方向へと反射導光するための前記計器ハウジングに設けられた反射壁部と、を備えた計器照明装置において、前記反射壁部は、前記光源と接近した第１の指標部領域に存在する前記表示パネルの指標部を主体に照明する円錐状の第１の反射壁部と、前記第１の反射壁部と連続して設けられ、前記第１の指標部領域より遠方の第２の指標部領域に存在する前記指標部を主体に照明する彎曲面あるいは平面状の傾斜面からなる第２の反射壁部とで構成されたことを特徴とする計器照明装置である。
【０００８】
このように構成することにより、光源と接近した第１の指標部領域に存在する指標部を主体に照明する第１の反射壁部と、第１の指標部領域より遠方の第２の指標部領域に存在する指標部を主体に照明する第２の反射壁部とを設け、第１および第２のそれぞれ反射壁部の形状を設定することによって、光源の個数を抑制しつつ表示パネル上の指標部の照明輝度をほぼ均一的に透過照明することができる。
【０００９】
また請求項１に記載の計器照明装置において、前記駆動軸を中心として取り巻くように配置された情報表示部を前記表示パネルに設け、前記反射壁部は、前記情報表示部の領域よりも外側に位置するように設けてなることを特徴とするものである。
【００１０】
このように構成することにより、表示パネルの中央の領域、すなわち指標部が施されていない領域である箇所を情報表示部として有効に活用することができる。また、その情報表示領域となる表示パネルの情報表示部の領域よりも外側に位置した箇所に光源とともに第１の反射壁部と第２の反射壁部とからなる反射壁部を設けることにより、光源の個数を抑制しつつ表示パネル上の指標部の照明輝度をほぼ均一的に透過照明することができる。
【００１１】
また請求項１または請求項２に記載の計器照明装置において、前記表示パネルには、前記指針の回転中心を基点として円弧状に配列された前記指標部が設けられ、前記反射面部は、前記駆動本体の前記指針の回転中心を基点とし、前記第１の指標部領域に設けられた前記指標部を透過照明するための第１の円弧状反射面部と、この第１の円弧状反射壁部と連続して設けられ、前記光源の位置を基点とし、前記第２の指標部領域に設けられた前記指標部を透過照明するための第２の円弧状反射面部とで構成してなることを特徴とするものである。
【００１２】
このように構成することにより、光源と接近した第１の指標部領域に存在する指標部に対しては、光源からの光を第１の反射壁部を介して反射導光した反射光を、指針の回転中心を基点とした第１の円弧状反射面部によって反射導光して前記第１の指標部領域に設けられた指標部が透過照明されるとともに、光源から遠方に存在する第２の指標部領域に設けられた指標部に対しては、光源からの光を第２の反射壁部を介して反射導光した反射光を、光源の位置を基点とした第２の円弧状反射面部によって反射導光して前記第２の指標部領域に設けられた指標部が透過照明され、これにより全体の表示パネル上の指標部の照明輝度をほぼ均一的に透過照明することができる。
【発明の効果】
【００１３】
本発明では、硬質材料からなる回路基板と、この回路基板に配置され駆動軸が前方に延びる計器本体と、前記駆動軸の先端側に装着される指針と、この指針と前記回路基板との間に配置され少なくとも前記指針に対応する指標部を有する表示パネルと、前記回路基板の前方側に配置され少なくとも前記指標部を照明する光源と、前記表示パネルと前記回路基板との間に配置される計器ハウジングと、この計器ハウジングに設けられ前記光源からの光を前記表示パネルに照射する反射面部と、前記光源と対向して配置され前記光源からの光を前記反射面部方向へと反射導光するための前記計器ハウジングに設けられた反射壁部と、を備えた計器照明装置において、前記反射壁部は、前記光源と接近した第１の指標部領域に存在する前記表示パネルの指標部を主体に照明する円錐状の第１の反射壁部と、前記第１の反射壁部と連続して設けられ、前記第１の指標部領域より遠方の第２の指標部領域に存在する前記指標部を主体に照明する彎曲面あるいは平面状の傾斜面からなる第２の反射壁部とで構成されたことを特徴とする計器照明装置であるため、第１および第２のそれぞれの反射壁部の形状を設定することによって、光源の個数を抑制しつつ表示パネル上の指標部の照明輝度をほぼ均一的に透過照明することができる。
【図面の簡単な説明】
【００１４】
【図１】図１は、本発明の実施形態である計器照明装置を示す正面図。
【図２】図２は、図１のエンジン回転計のＡ−Ａ線箇所を示す要部拡大断面図。
【図３】図３は、図１のエンジン回転計のＢ−Ｂ線箇所を示す要部拡大断面図。
【図４】図４は、図１のエンジン回転計の表示パネルと速度計の表示パネルを除去した状態を示す計器照明装置の正面図。
【図５】図５は、図４の計器ハウジング箇所に仮想表示部を重ね合わせて表した状態を示す正面図。
【図６】図６は、図５のエンジン回転計の計器ハウジングに設けられた反射壁面部と反射面部との概要を示す正面図。
【図７】図７は、図１の速度計のＣ−Ｃ線箇所を示す計器照明装置の断面図。
【図８】図８は、図１の速度計のＤ−Ｄ線箇所を示す計器照明装置の断面図。
【図９】図９は、図５の速度計の計器ハウジング８に設けられた筒状部と反射壁面および反射面部との概要を示す正面図。
【図１０】図１０は、図９の反射壁部と反射面部との概要を示す正面図。
【図１１】図１１は、本発明の実施形態の変形例を示すもので、エンジン回転計表示パネルと速度計の表示パネルを除去した状態の計器照明装置の正面図。
【図１２】図１２は、エンジン回転計の計器ハウジングに設けられた反射面部の変形例を示す概略正面図。
【図１３】図１３は、図１２の反射壁部と反射面部との概要を示す正面図。
【発明を実施するための形態】
【００１５】
図１から図１３は本発明の実施形態を示すもので、以下、これらに基づいて本発明の実施形態をたとえば自動車に搭載される指示計器における計器照明装置に適用した場合について説明する。
【００１６】
同図において、本実施形態による指針式の指示計器における計器照明装置は、回路基板１と、この回路基板１に導通装着され駆動軸２が前方に延びる計器本体３と、駆動軸２の先端側に装着される指針４と、この指針４と回路基板１との間に配置され少なくとも指針４の指示に対応する指標部５を有する表示パネル６と、前記回路基板１の前面側に実装され少なくとも前記指標部５を透過照明する光源７と、表示パネル６と回路基板１との間に配置される計器ハウジング８と、この計器ハウジング８に設けられ光源７からの光を表示パネル６に照射する反射面部９と、光源７と対向して配置され光源７からの光を反射面部９方向へと反射導光する計器ハウジング８に設けられた反射壁部１０とから構成されている。
【００１７】
回路基板１は、たとえばガラスエポキシ系基材に配線パターン（図示せず）を施した硬質回路基板からなり、計器本体３の駆動・制御を行う駆動手段（図示せず）や、たとえば抵抗、コンデンサ等の各種回路部品（図示せず）が前記配線パターンに導通接続されている。
【００１８】
計器本体３は、可動磁石式計器またはステッピングモータからなり、この例では駆動軸２が回路基板１に形成した軸孔を貫通するように、回路基板１の背後に装着され、且つ半田付け等の適宜導通手段により前記配線パターン（前記駆動手段）に電気接続されている。
【００１９】
指針４は、光透過性の合成樹脂からなり、図２，図７などに示すように、表示パネル６に設けた目盛や数字・文字などの指標部５を指示する指示部４１と、同じく光透過性合成樹脂からなり指示部４１と駆動軸３との間に配置される基部４２と、この基部４２および指示部４１の回転中心側所要部を覆う遮光性合成樹脂よりなる指針キャップ４３とで構成され、基部４２を通じて駆動軸２の先端に連結されている。
【００２０】
表示パネル６は、透光性の合成樹脂材料からなる基板によって形成され、その基板の表面には、指針４の指示対象となる目盛や文字・数字などの光透過性の指標部５が指針４の回転軌道に沿って円弧状に配置され、この指標部５とともに指標部５の背景となる地色部５０とが印刷などの手段によって形成されている。
【００２１】
図１に示すように、左側に位置したエンジン回転計からなる指示計器にあっては、表示パネル６に施される指標部５は、エンジン回転計などの目盛部とこの目盛部に対応した「数字」や「×１０００ｒｐｍ」などの文字部などから構成されている。なお表示パネル６には、回転軸２に対応した位置に貫通孔６０が設けられ、この貫通孔６０を通じて駆動軸２と指針４とが連結できるようになっている。
【００２２】
光源７は、たとえばチップ型発光ダイオードからなり、指針４を発光照明するための指針照明用の光源７ａと、表示パネル６の表示部５を透過照明するための表示部照明用の光源７ｂとが回路基板１の表面上に実装されている。
【００２３】
計器ハウジング８は、白色系の合成樹脂材料によって速度計、エンジン回転計、液面計などの指示計器を支持するために全体が略枠状の側壁部８０と、この側壁部８０の中程をそれぞれ繋ぐように設けられた底壁部８１によって形成され、その枠状に形成された計器ハウジング８から一体にそれぞれの指示計器の指針軸２を取り巻くように円筒部８２が形成され、この円筒部８２の底部に位置した回路基板１の表面側に指針照明用としての光源７ａが１個配置されている。
【００２４】
また、エンジン回転計の指示計器における本実施形態にあっては、円筒部８２の外周面の中程から連続して反射壁部１０が一体に突き出し形成され、この反射壁部１０の真下の位置にはエンジン回転計の目盛や数字などからなる指標部５を透過照明するための照明用としての光源７ｂが１個配置されている。この場合、反射壁部１０は指針４の回転中心から放射方向に突き出し形成されている。
【００２５】
また、計器ハウジング８には、光源７ｂからの光を反射壁部１０を介して反射導光し、この反射導光した光をさらに表示パネル６の指標部５側へと反射導光する反射面部９が計器ハウジング８の底壁部８１から連続して一体に形成されている。この際、図６に示すように、前記反射壁部１０は、光源７ｂと接近した領域に存在する表示パネル６の第１の指標部領域Ｎ、すなわち「２から６の数字箇所の領域」とその数字を示す「目盛箇所の領域」を主体に照明する円錐状の第１の反射壁部１０ａと、この第１の反射壁部１０ａと連続して設けられ、第１の指標部領域Ｎより遠方に存在する第２の指標部領域Ｆである「０から２、６から８の数字箇所の領域」とその数字を示す「目盛箇所の領域」を主体に照明する彎曲面あるいは平面状の傾斜面からなる第２の反射壁部１０ｂとによって形成されている。
【００２６】
また本実施形態における反射壁部１０を詳述すると、反射壁部１０は第１の反射壁部１０ａと第２の反射壁部１０ｂとから形成されており、第１の反射壁部１０ａは光源７ｂの真上に位置しており、半円形の逆円錐形状の傾斜面にて形成されている。これにより光源７ｂから照射された光線は半円形の逆円錐形状からなる傾斜面を介して光源７ｂ位置を基点として半円形に放射状に反射導光され、前述した第１指標部領域Ｎに設けられた反射面部９を介して表示パネル６の指標部５箇所が透過照明されるように構成されている。
【００２７】
また第１の反射壁部１０ａの半円形の端部から連続して彎曲状あるいは平坦面形状からなる傾斜面による壁状の第２の反射壁部１０ｂが図３に示されているように断面略Ｖ字形状に設けられ、このＶ字形状の壁状反射面の端部は図２や図６などに示されているように円筒部８２と繋がるように設けられている。すなわち、第１の反射壁部１０ａが反射壁部１０の先端側で、第２の反射壁部１０ｂが指針４の中心側に配置されており、第２の反射壁部１０ｂのＶ字の稜線部分が第１の反射壁部１０ａの円錐形状からなる頂点と一致するように設けられている。これにより光源７ｂから照射された光線はＶ字形状の壁状反射面からなる第２の反射壁部１０ｂを介して遠方の指標部領域Ｆへとそれぞれ導かれ、第１の反射壁部の１０ａの両側に位置した前述した第２の指標部領域Ｆに設けられた反射面部９を介して表示パネル６の指標部５箇所が透過照明されるように構成されている。
【００２８】
このように構成されたエンジン回転計の指示計器にあっては、指針４を発光照明するための指針照明用の光源７ａが発光すると、その照明光は計器ハウジング８の円筒部８２の内部側にて案内されつつ表示パネル６の貫通孔６０を通じて指針４の基部４２へと導光案内され、次いでその基部４２から指示部４１へと導かれることにより、指針４の指示部４１が照明される。
【００２９】
また、指針４の照明と同時に、表示部照明用の光源７ｂが発光すると、その照明光は光源７ｂの真上に設けられた反射壁部１０によって反射され、この反射された光が反射面部９へと導かれてさらに反射し、表示パネル６の指標部５を透過照明することによって表示パネル６の指標部５が明るく照明表示される。この際、光源７ｂと接近した領域に存在する表示パネル６の第１の指標部領域Ｎである「２から６の数字箇所の領域」とその数字を示す「目盛箇所の領域」とは、円錐状の第１の反射壁部１０ａを主体にして反射導光された光線を反射面部９を介して表示パネル６の指標部５が透過照明される。また第１の指標部領域Ｎより遠方に存在する第２の指標部領域Ｆである「０から２、６から８の数字箇所の領域」とその数字を示す「目盛箇所の領域」を主体に照明する彎曲面あるいは平面状の傾斜面からなる第２の反射壁部１０ｂによって反射導光され、その反射導光された光線を反射面部９を介して表示パネル６の指標部５へと導くことによって第２の指標部領域Ｆである指標部５が明るく透過照明されるものであり、これにより光源７ｂの数を抑制しつつ、光源７ｂに近い側と遠い側に存在するそれぞれの指標部５を均一的に照明表示することができる。
【００３０】
また図７から図１０は計器装置の中央に配置された速度計を示すものであり、前述したエンジン回転計の表示パネル６とほぼ同様にして、透光性の合成樹脂材料からなる基板によって形成され、その基板の表面には、指針４の指示対象となる目盛や文字・数字などの光透過性の指標部５が指針４の回転軌道に沿って円弧状に配置され、この指標部５とともに指標部５の背景となる地色部５０とが印刷などの手段によって形成されている。この実施形態にあっては、表示パネル６の中央に設けられた貫通孔６０を取り巻くように光透過性の情報表示部５１が指標部５と同様にして印刷などの手段によって形成されている。この場合、情報表示部５１としては、エンジンの油圧の状態、ライトの点灯状態、燃料残量表示やバッテリーの状態などの各種車両の状態を知らせるための文字や絵表示、記号あるいは警報表示のための着色層などが印刷形成されている。
【００３１】
また、計器ハウジング８には、速度計の指針軸２を覆うように円筒部８２が形成されるとともに、その円筒部８２の周囲と取り巻くように表示パネル６に設けられた情報表示部５１の表示項目数と同数に各々区画してなる遮光用の筒状部８３が一体に成形されている。
【００３２】
この筒状部８３のそれぞれの下端側には情報表示用の光源７ｃがそれぞれ配置されるものであり、この光源７ｃは指針照明用の光源７ａと表示部照明用の光源７ｂと同様にして回路基板１上に実装されている。
【００３３】
また、速度計の指示計器においては、円筒部８２の周りに設けられた遮光用の筒状部８３の外周面から連続して反射壁部１０が所定の間隔を配して２箇所に突き出し形成され、この各反射壁部１０の真下の位置には速度計の目盛や数字などからなる指標部５を透過照明するための照明用としての光源７ｂが２個配置されている。この場合、反射壁部１０は指針４の回転中心から放射方向に突き出し形成されている。また、計器ハウジング８には、２個の光源７ｂからの光を反射壁部１０を介して反射導光し、この反射導光した光をさらに表示パネル６の指標部５側へと反射導光する反射面部９が計器ハウジング８の底壁部８１から連続して一体に形成されている。この際、前記反射壁部１０は、光源７ｂと接近した領域に存在する表示パネル６の第１の指標部領域Ｎ１，Ｎ２、すなわち「５０キロをほぼ基点として２０キロ〜８０キロの速度を示す数値箇所の領域Ｎ１および「１５０キロを基点として１２０キロ〜１８０キロの速度を示す箇所の領域Ｎ２の２箇所の領域Ｎ１，Ｎ２とその数値箇所を示す「２箇所の目盛箇所の領域」を主体に照明するための円錐状の第１の反射壁部１０Ａが２箇所に設けられている。
【００３４】
またそれぞれの第１の反射壁部１０Ａにおいて、低速領域側に設けられた第１の反射壁部１０Ａと連続して、第１の指標部領域Ｎ１（２０キロの速度を示す数値箇所の領域Ｎ１）より遠方に存在する第２の指標部領域Ｆ１である「０キロ〜２０キロの間や８０キロ〜１００キロの速度を示す数値箇所の領域」とその数値を示す「目盛箇所の領域」を主体に照明する彎曲面あるいは平面状の傾斜面からなる第２の反射壁部１０Ｂが形成されている。
【００３５】
また、高速領域側に設けられた第１の反射壁部１０Ａも同様にして、第１の反射壁部１０Ａと連続して、第１の指標部領域Ｎ２（１２０キロの速度を示す数値箇所の領域）より遠方に存在する第２の指標部領域Ｆ２である「１００キロ〜１２０キロの間や１８０キロ〜２００キロの速度を示す数値箇所の領域」とその数値を示す「目盛箇所の領域」を主体に照明する彎曲面あるいは平面上の傾斜面からなる第２の反射壁部１０Ｂが形成されている。
【００３６】
この際、光源７ｂの真上に配置されている第１の反射壁部１０Ａと第２の反射壁部１０Ｂからなる全体の反射壁部１０の形状として、第１の反射壁部１０Ａにおいては円錐状の反射壁の角度や曲率などを適宜に設定したり、第２の反射壁部１０Ｂにおいては彎曲面の角度や曲率あるいは平面上の傾斜面からなる傾斜角度や傾斜面の表面の光沢状態などを適宜設定することによって、反射面部９を介して表示パネル６の指標部５へと反射導光する光量を任意に設定することが可能となるものであり、前述したエンジン回転計の表示パネル６の指標部５においても同様に設定することが可能となる。
【００３７】
また本実施形態における反射壁部１０をさらに詳述すると、反射壁部１０は第１の反射壁部１０Ａと第２の反射壁部１０Ｂとから形成されており、第１の反射壁部１０Ａは光源７ｂの真上に位置しており、半円形の逆円錐形状の傾斜面にて形成されている。これにより光源７ｂから照射された光線は半円形の逆円錐形状からなる傾斜面を介して光源７ｂ位置を基点として半円形に放射状に反射導光され、前述した２箇所の第１指標部領域Ｎ１，Ｎ２に設けられた各反射面部９の領域にて各反射面部９を介して表示パネル６の指標部５箇所が透過照明されるように構成されている。
【００３８】
また第１の反射壁部１０Ａの半円形の端部から連続して彎曲状あるいは平坦面形状からなる傾斜面による壁状の第２の反射壁部１０Ｂが図８に示されているように断面略Ｖ字形状に設けられ、このＶ字形状の壁状反射面の端部は図７や図９に示されれているように筒状部８３外周部分と繋がるように設けられている。すなわち、第１の反射壁部１０Ａが反射壁部１０の先端側で、第２の反射壁部１０Ｂが指針４の中心側に配置されており、第２の反射壁部１０ＢのＶ字の稜線部分が第１の反射壁部１０Ａの円錐形状からなる頂点と一致するように設けられている。これにより光源７ｂから照射された光線はＶ字形状の二つの壁状反射面からなる第２の反射壁部１０Ｂを介して遠方の指標部領域Ｆ１，Ｆ２へとそれぞれ導かれ、前述した第２の指標部領域Ｆ１，Ｆ２に設けられたそれぞれの反射面部９を介して表示パネル６の各指標部５箇所が透過照明されるように構成されている。
【００３９】
このように構成された速度計の指示計器にあっては、前述したエンジン回転計と同様にして、指針４を発光照明するための指針照明用の光源７ａが発光すると、その照明光が計器ハウジング８の円筒部８２の内部側にて案内されつつ表示パネル６の貫通孔６０を通じて指針４の基部４２へと導光案内され、次いでその基部４２から指示部４１へと導かれることにより、指針４の指示部４１が照明される。
【００４０】
また、指針４の照明と同時に、２個の表示部照明用の光源７ｂが発光すると、その照明光は光源７ｂの真上に設けられた反射壁部１０にて反射され、この反射された光が反射面部９へと導かれてさらに反射し、表示パネル６の指標部５を透過照明することによって表示パネル６の指標部５が明るく照明表示される。この際、低速領域と高速領域に設けられた２個の光源７ｂと接近した領域に存在する表示パネル６の第１の指標部領域Ｎ１，Ｎ２である「２０キロ〜８０キロの速度数値箇所の領域と１２０キロ〜１８０キロの速度数値箇所の領域」とその数値を示す「目盛箇所の領域」とは、円錐状の第１の反射壁部１０Ａを主体にして反射導光された光線を反射面部９を介して表示パネル６の指標部５が透過照明される。また第１の指標部領域Ｎ１，Ｎ２より遠方に存在する第２の指標部領域Ｆ１，Ｆ２である「０キロ〜２０キロの間の箇所と、８０キロ〜１００キロとの間と、１００キロ〜１２０キロの間と、１８０キロ〜２００キロの間の数値箇所の領域」とその数値を示す「目盛箇所の領域」を主体に照明する彎曲面あるいは平面状の傾斜面からなる第２の反射壁部１０Ｂによって反射導光され、その反射導光された光線を反射面部９を介して表示パネル６の指標部５へと導くことによって第２の指標部領域Ｆ１，Ｆ２である指標部５が明るく透過照明されるものであり、これにより低速領域と高速領域とに２個の光源７ｂを設置するだけで済むため光源の個数を抑えながら、光源７ｂに近い側と遠い側に存在するそれぞれの指標部５を均一的に照明表示することができる。
【００４１】
また表示パネル６には円弧状からなる指標部５が施された領域の中央側に、情報表示部５１を設けるとともに、この情報表示部５１に対応して筒状部８３をそれぞれ設け、筒状部８３の底部に配置した光源７ｃの点灯によって、たとえば燃料の量が所定の量より少なくなってきたときに、絵表示などからなる燃料残量表示部（情報表示部５１）が透過照明されるものであり、良好に判別することができる。
【００４２】
この際、表示パネル６には円弧状からなる指標部５が施された領域の中央側の空きスペースに、情報表示部５１を設けるとともに、情報表示部５１の領域よりも外側に位置するように反射壁部１０を設けてなることにより、表示パネル６の中央よりの領域である箇所を情報表示部５１として有効に活用することができるとともに、その情報表示領域となる表示パネル６の情報表示部５１の領域よりも外側に位置した箇所に光源７ｂとともに第１の反射壁部１０Ａと第２の反射壁部１０Ｂとからなる反射壁部１０を設けることにより、表示パネル６上の指標部５の照明輝度をほぼ均一的に透過照明することができるものであり、これにより表示パネル６の前面側の領域を有効に活用するすることができる。
【００４３】
また、図１１から図１３は本実施形態の変形例を示すもので、ここではエンジン回転計の指示計器を例にして説明する。
【００４４】
エンジン回転計の表示パネル６の表面側は、前述した表示パネル６と同様にして、指針４の指示対象となる目盛や文字・数字などの光透過性の指標部５を指針４の回転軌道に沿って円弧状に配置し、この指標部５とともに指標部５の背景となる地色部５０とを印刷などの手段によって形成している。
【００４５】
計器ハウジング８もほぼ同様にして、白色系の合成樹脂材料によって指示計器を支持するために全体が略枠状の側壁部８０と、この側壁部８０の中程をそれぞれ繋ぐように設けられた底壁部８１とによって形成され、その枠状に形成された計器ハウジング８から一体に指針軸２を取り巻くように円筒部８２が形成され、この円筒部８２の底部に位置した回路基板１の表面側に指針照明用としての光源７ａが１個配置されている。
【００４６】
また、エンジン回転計の指示計器においては、円筒部８２の外周面の中程から連続して反射壁部１０が一体に突き出し形成され、この反射壁部１０の真下の位置にはエンジン回転計の目盛や数字などからなる指標部５を透過照明するための照明用としての光源７ｂが１個配置されている。また前述した実施形態と同様にして、反射壁部１０は、光源７ｂと接近した領域に存在する表示パネル６の第１の指標部領域Ｎ、すなわち「３から５の数字箇所の領域」とその数字を示す「目盛箇所の領域」を主体に照明する円錐状の第１の反射壁部１０ａと、この第１の反射壁部１０ａと連続して設けられ、第１の指標部領域Ｎより遠方に存在する第２の指標部領域Ｆである「０から２、６から８の数字箇所の領域」とその数字を示す「目盛箇所の領域」を主体に照明する彎曲面あるいは平面状の傾斜面からなる第２の反射壁部１０ｂとによって形成されている。
【００４７】
また、計器ハウジング８には、光源７ｂからの光を第１の反射壁部１０ａと第２の反射壁部１０ｂからなる反射壁部１０を介して反射導光し、この反射導光した光をさらに表示パネル６の指標部５側へと反射導光する反射面部９が計器ハウジング８の底壁部８１から連続して一体に形成されている。
【００４８】
この変形例による実施形態にあっては、前記反射面部９として、駆動本体３の指針４の回転中心を基点として前記第１の指標部領域Ｎに設けられた目盛や数字などの指標部５を透過照明するための第１の円弧状反面部９ａが形成されるとともに、光源７ｂの位置を基点として前記第２の指標部領域Ｆに設けられた目盛や数字などの指標部５を透過照明するための第２の円弧状反面部９ｂが形成され、前記第１の円弧状反面部９ａと連続するように第２の円弧状反射面部９ｂが設けられている。
【００４９】
なお、この変形例における反射壁部１０は前述したエンジン回転計の表示パネル６と同様にして、第１の反射壁部１０ａと第２の反射壁部１０ｂとから形成されており、第１の反射壁部１０ａは光源７ｂの真上に位置しており、半円形の逆円錐形状の傾斜面にて形成されている。これにより光源７ｂから照射された光線は半円形の逆円錐形状からなる傾斜面を介して光源７ｂ位置を基点として半円形に放射状に反射導光され、前述した第１指標部領域Ｎに設けられた反射面部９を介して表示パネル６の指標部５箇所が透過照明されるように構成されている。また第１の反射壁部１０ａの半円形の端部から連続して彎曲状あるいは平坦面形状からなる傾斜面による壁状の第２の反射壁部１０ｂが断面略Ｖ字形状に設けられ、このＶ字形状の壁状反射面の端部は円筒部８２と繋がるように設けられている。
【００５０】
すなわち、第１の反射壁部１０ａが反射壁部１０の先端側で、第２の反射壁部１０ｂが指針４の中心側に配置されており、第２の反射壁部１０ｂのＶ字の稜線部分が第１の反射壁部１０ａの円錐形状からなる頂点と一致するように設けられている。これにより光源７ｂから照射された光線はＶ字形状の壁状反射面からなる第２の反射壁部１０ｂを介して遠方の指標部領域Ｆへと導かれ、第１の反射壁部の１０ａの両側に位置した前述した第２の指標部領域Ｆに設けられた反射面部９を介して表示パネル６の指標部５箇所が透過照明されるように構成されている。
【００５１】
このように構成されたエンジン回転計の指示計器にあっては、光源７ｂと接近した第１の指標部領域Ｎに存在する指標部５に対しては、光源７ｂからの光を第１の反射壁部１０ａを介して反射導光した反射光を、指針４の回転中心を基点とした第１の円弧状反射面部９ａによって反射導光して第１の指標部領域Ｎに設けられた指標部５が透過照明されるとともに、光源７ｂから遠方に存在する第２の指標部領域Ｆに設けられた指標部５に対しては、光源７ｂからの光を第２の円弧状反射面部９ｂによって反射導光して第２の指標部領域Ｆに設けられた指標部５が透過照明される。この際、第２の円弧状反射面部９ｂは光源７ｂを基点として円弧状に反射面部９ｂを形成することにより、光源７ｂと第２の反射面部ｂとの距離間隔が広がることなく等しい距離関係に設定されるため、反射導光される輝度が低下することを未然に防ぐことができ、これにより光源７ｂの数を抑制しつつ、全体の表示パネル６上の指標部５の照明輝度をほぼ均一的に透過照明することができる。
【００５２】
なお、前述した各実施形態にあっては、光源７ｂからの光を真上に配置した反射壁部１０は、光源７ｂと接近した第１の指標部領域Ｎに存在する表示パネル６の指標部５を主体に照明する円錐状の第１の反射壁部１０ａと、第１の反射壁部１０ａと連続して設けられ、第１の指標部領域Ｎより遠方の第２の指標部領域Ｆに存在する指標部５を主体に照明する彎曲面あるいは平面上の傾斜面からなる第２の反射壁部１０ｂとで構成することによって、各反射壁部１０ａ，１０ｂにて反射導光した光を反射面部９を介して反射させて表示パネル６の指標部５を透過照明することによって比較的広い領域を均一的に照明表示することができるものであり、これにより光源７ｂの個数を従来に比べて削減することが可能となる。この場合、光源７ｂと接近した第１の指標部領域Ｎに存在する指標部５に対しては、光源７ｂからの光を第１の反射壁部１０ａを介して反射導光した反射光を、反射面部９によって反射導光して第１の指標部領域Ｎに設けられた指標部５が透過照明されるとともに、光源７ｂから遠方に存在する第２の指標部領域Ｆに設けられた指標部５に対しては、光源７ｂからの光を第２の反射壁部１０ｂを介して反射導光した反射光を、反射面部９によって反射導光して第２の指標部領域Ｆに設けられた指標部５が透過照明され、これにより全体の表示パネル６上の指標部５の照明輝度をほぼ均一的に透過照明することができる。また表示部５の透過照明に際し、照明斑を軽減するためにたとえば、反射面部９の表面に粗面加工やシボ加工などの表面加工を施すことにより、さらに均一的な照明効果を得ることも可能となる。
【００５３】
また、反射壁部１０と反射面部９と底壁部８２に加え表示パネル６とにより区画された空間スペースに光源７ｂが収納される状態となり、これにより光源７ｂからの照明光を効率よく表示部５へと導いて透過照明するための照明室として形成することができるものであり、場合によっては、側壁部８０の高さ寸法や底壁部８１と表示パネル６との間の寸法の設定によっては指示計器全体の薄型化を実現することも可能となる。
【産業上の利用可能性】
【００５４】
また、前述した実施形態においては、その適用例として車両用計器やオートバイなどの指針式の計器照明装置を例にして説明したが、車両用の指示計器に限らず船舶用の計器照明装置あるいは農業用機械や建設機械などの特殊車両の計器照明装置などにおいても適用することが可能である。
【符号の説明】
【００５５】
１    回路基板
２    駆動軸
３    計器本体
４    指針
５    表示部
６    表示パネル
７    光源
７ａ    指針照明用の光源
７ｂ    表示部照明用の光源
７ｃ    情報表示用の光源
８    計器ハウジング
９    反射面部
９ａ    第１の円弧状反射面部
９ｂ    第２の円弧状反射面部
１０    反射壁部
１０ａ，１０Ａ    第１の反射壁部
１０ｂ，１０Ｂ    第２の反射壁部
４１    指示部
４２    基部
４３    指針キャップ
５０    地色部
５１    情報表示部
６０    貫通孔
８０    側壁部
８１    底壁部
８２    円筒部
８３    筒状部
Ｎ，Ｎ１，Ｎ２    第１の表示部領域
Ｆ，Ｆ１，Ｆ２    第２の表示部領域
【図１】
2010256258.tif 000003
【図２】
2010256258.tif 000004
【図３】
2010256258.tif 000005
【図４】
2010256258.tif 000006
【図５】
2010256258.tif 000007
【図６】
2010256258.tif 000008
【図７】
2010256258.tif 000009
【図８】
2010256258.tif 000010
【図９】
2010256258.tif 000011
【図１０】
2010256258.tif 000012
【図１１】
2010256258.tif 000013
【図１２】
2010256258.tif 000014
【図１３】
2010256258.tif 000015